(57)【要約】【課題】  ユニットルームの壁パネル上端部に天井パネルを取り付けるユニットルームの天井パネル取付構造において、壁パネルにＨ型部材などの特殊な部材を設けることなく、取付施工性の向上したユニットルームの天井パネル取付構造を提供すること。【解決手段】  天井パネル周縁部１ａの下側に内方に開口する凹溝４を有する係止バネ部を設け、壁パネル２の上端部に前記係止バネ部の凹溝４に係止する係止部を一体に設け、天井パネル１を壁パネル２上端部に対し下方へ移動させることにより係止部を係止バネ部の凹溝４に係止させて壁パネル２上端部に天井パネル１を取り付けるようにした。【選択図】  図１
2006152581.tif 000002
【特許請求の範囲】
【請求項１】
ユニットルームの壁パネル上端部に天井パネルを取り付けるユニットルームの天井パネル取付構造であって、天井パネル周縁部の下側に内方に開口する凹溝を有する係止バネ部を設け、壁パネルの上端部に前記係止バネ部の凹溝に係止する係止部を一体に設け、天井パネルを壁パネル上端部に対し下方へ移動させることにより係止部を係止バネ部の凹溝に係止させて壁パネル上端部に天井パネルを取り付けることを特徴とするユニットルームの天井パネル取付構造。
【請求項２】
上片、縦片及び下片からなる断面略コ字型の長尺部材を設け、この長尺部材の上片を天井パネル周縁部の下面に固着して上片、縦片及び下片で囲まれた空間を凹溝とする係止バネ部となし、壁パネルのパネル本体上端部に後方へ向けて水平片を突設し、この水平片の後端部に垂下片を垂設し、この垂下片を係止バネ部の凹溝に係止する係止部となしたことを特徴とする請求項１記載のユニットルームの天井パネル取付構造。
【請求項３】
天井パネル下面に周縁部を除いて下面が壁パネルの水平片の高さ位置よりも下方に達する平坦部を突設してなることを特徴とする請求項２記載のユニットルームの天井パネル取付構造。
【請求項４】
平坦部側面に天井パネル上下に貫通する通気孔を設けてなること特徴とする請求項３記載のユニットルームの天井パネル取付構造。
【請求項５】
係止バネ部の上片を壁パネルのパネル本体位置よりも内方に延設して延設片を設け、この延設片の先端側を折り曲げ可能な折曲片として形成し、折曲片の先端部に係合部を設け、延設片の基部に延設片を天井パネルにビス止めするためのビス孔を設け、ビス孔の後部に折曲片を折り曲げて係合部が係合固定する係合止部を設けてなることを特徴とする請求項２乃至４のいずれかに記載のユニットルームの天井パネル取付構造。
【発明の詳細な説明】
【技術分野】
【０００１】
本発明は、ユニット式の浴室、洗面室などのユニットルームを組み立てるときに、天井パネルを壁パネルに取り付けるユニットルームの天井パネル取付構造に関する。
【背景技術】
【０００２】
従来、ユニット式の浴室、洗面室などのユニットルーム内壁上端部にユニットルーム構成用天井板を取付ける方法が提案されている。（特許第２８８９２９８号）
このユニットルームの天井パネル取付構造は、天井板の周縁部及びこれに対応する居室内壁上端部のうちの一方に上下方向に他方の方へ向いた凹溝を形成し更に該凹溝外において側部に該凹溝に沿って延びる係止条部を形成しておき、他方に適宜の間隔で上記凹溝の方へ向いた該凹溝の幅に対応する幅の係止駒を取付け更に上記係止条部に対応する係止バネを取付けておき、上記天井板を上記内壁上端部に対し下方へ移動させることにより上記係止駒を上記凹溝内に係止させるとともに上記係止バネを上記係止条部に係止させるものである。
【０００３】
このユニットルームの天井パネル取付構造では、矩形状内壁パネルの内面（居室内側となる面）には化粧部材たとえばタイルが接合されており、また上端部にはＨ型部材が固着されており、その上面に上向きの凹溝が形成されている。該凹溝はパネルの上縁に沿って延びている。また、上記Ｈ型部材の外面側の下端が係止部材とされている。もちろん該係止条部もパネルの上縁に沿って延びている。一方、天井板の周縁部にはアングル部材が固定されている。該アングル部材の下端面には係止駒及び係止板バネが取付けられている。これら係止駒及び係止板バネは同一のボルトにより周縁部に沿って適宜の間隔をもって取付けられており、上記係止駒はナット兼用である。また。上記係止駒のテーパー形状の故に上記凹溝内への収容をスムーズに行うことができる。上記係止板バネは上記係止条部と係止せしめられる係止部を有し、また該係止部から下方に次第に外方へと広がるガイド部を有する。
【０００４】
そして、上記天井板を壁パネル上端部に取付ける方法に関しでは、先ず、内壁と天井板とを位置合わし、次に、上記天井板を、例えば居室内側から吸盤等を用いて下方に引き下げることにより、上記係止板バネのガイド部が内壁上端部のＨ型部材により外方へと押し広げられ、係止部が上記Ｈ型部材の外方を下方へと移動して、ついには係止条部に係止せしめられる。この係止により、天井板が内壁に対し上下方向に確実且つ正確に所望位置に位置決めされる。そして、この上下方向位置決めと同時に、上記係止駒が上記Ｈ型部材の凹溝内に収容され係止される。この係止により、天井板が内壁に対し水平内外方向に確実且つ正確に所望位置に位置決めされる。
【０００５】
しかしながらこのユニットルームの天井パネル取付構造では、この壁パネルのＨ型部材を利用して天井パネルを壁パネルに固定しているため、壁パネルにＨ型部材を設ける必要があり、部材の数が増え施工がめんどうなものになるという問題がある。
【特許文献１】特許第２８８９２９８号公報
【発明の開示】
【発明が解決しようとする課題】
【０００６】
本願発明は、前記事由に鑑みてなされたものであり、その課題は、壁パネルにＨ型部材などの特殊な部材を設けることなく、取付施工性の向上したユニットルームの天井パネル取付構造を提供することである。
【課題を解決するための手段】
【０００７】
前記課題を解決するために、ユニットルームの壁パネル上端部に天井パネルを取り付けるユニットルームの天井パネル取付構造であって、天井パネル周縁部の下側に内方に開口する凹溝を有する係止バネ部を設け、壁パネルの上端部に前記係止バネ部の凹溝に係止する係止部を一体に設け、天井パネルを壁パネル上端部に対し下方へ移動させることにより係止部を係止バネ部の凹溝に係止させて壁パネル上端部に天井パネルを取り付けるようにしたものである。
【発明の効果】
【０００８】
本願発明のユニットルームの天井パネル取付構造においては、天井パネルを壁パネル上端部に対し下方へ移動させることにより、壁パネルの上端部に一体に設けた係止部を天井パネル周縁部に設けた係止バネ部の凹溝に係止させて壁パネル上端部に天井パネルを取り付けるようする。したがって、壁パネルにＨ型部材などの特殊な部材を設けることなく、取付施工性が向上している。
【発明を実施するための最良の形態】
【０００９】
以下に、本発明の実施の形態を添付図面とともに説明する。
【００１０】
図１は、本発明の一実施形態のユニットルームの天井パネル取付構造を示す要部の縦断面図である。また図２は、同上のユニットルームの天井パネル取付構造の概略を示す斜視図である。
【００１１】
図１及び図２に示すように、このユニットルームの天井パネル取付構造は、例えば浴室ユニットなどのユニットルームの天井パネルを壁パネル上端部に取付施工するための構造を示すものである。壁パネル２は適宜の手段によって隣接するものどうしが互いに接続されており、これにより内壁を形成している。そしてこの内壁の上端部に天井パネル１の周縁部１ａが上方から取り付けられるものである。そして、天井パネル周縁部１ａの下側に内方に開口する凹溝４を有する係止バネ部を設け、壁パネル２の上端部に前記係止バネ部の凹溝４に係止する係止部を一体に設け、天井パネル１を壁パネル２上端部に対し下方へ移動させることにより係止部を係止バネ部の凹溝４に係止させて壁パネル２上端部に天井パネル１を取り付ける。また、上片３ａ、縦片３ｂ及び下片３ｃからなる断面略コ字型の長尺部材３を設け、この長尺部材３の上片３ａを天井パネル周縁部１ａの下面に固着して上片３ａ、縦片３ｂ及び下片３ｃで囲まれた空間を凹溝４とする係止バネ部となし、壁パネル２のパネル本体２ａ上端部に後方へ向けて水平片２ｂを突設し、この水平片２ｂの後端部に垂下片２ｃを垂設し、この垂下片２ｃを係止バネ部の凹溝４に係止する係止部としている。また、天井パネル１下面に周縁部１ａを除いて下面が壁パネル２の水平片２ｂの高さ位置よりも下方に達する平坦部１ｃを突設している。
【００１２】
天井パネル１は、例えば樹脂材料を略矩形板状に成形して形成されるものであり、上方開口の矩形箱状の平坦部１ｃの上端開口縁に外方に向けてフランジ状の周縁部１ａを突設して形成されている。また平坦部１ｃの箱内の中央部に補強用の石膏ボード８が接着固定されている。また、天井パネル１の略中央部には施工用開口（図示せず）が穿設され、施工者がこの施工用開口から天井裏に上半身を乗り出して取付施工できるようにしてあり。この施工用開口は下方から開蓋及び閉蓋可能な蓋体（図示せず）が取り付けられている。
【００１３】
壁パネル２は、ユニットルームの内壁面を形成するパネル本体２ａの裏面に補強用の石膏ボード９が接着固定され、上部が石膏ボード９上端よりも上方に延出したパネル本体２ａの上端に後方へ向けて水平片２ｂを突設し、この水平片２ｂの後端に垂下片２ｃを垂設して形成されている。垂下片２ｃは、下端部に内方に頂点を有する三角形状部２ｄが形成されており、後述で詳細説明する係止バネ部の凹溝４に係止する係止部を形成している。また垂下片２ｃは斜め外方に向けて外面を傾斜させてあり、係止バネ部がこの傾斜した垂下片２ｃ外面に当接して下方に摺動し易くしてある。また、垂下片２ｃの三角形状部２ｄ下端と石膏ボード９上端には係止バネ部を係止するための隙間が設けられている。このようなパネル本体２ａは、樹脂材料の成形や金属板などの折り曲げなどにより形成されるものである。
【００１４】
長尺部材３は、例えばアルミなどの金属材料の押し出し成形により、上片３ａ、縦片３ｂ及び下片３ｃからなる断面略コ字型を有し、長さが天井パネル１の一辺長さと略同寸に形成されている。上片３ａは、横幅が壁パネル２の水平片２ｂよりもやや長く形成され、幅方向略中央部に天井パネル周縁部１ａにビス固定するためのビス孔３ｄが長さ方向に３０ｃｍ〜４０ｃｍ間隔で複数設けられている。縦片３ｂは、壁パネル２の垂下片２ｃよりもやや長く形成されており、下片３ｃは斜め上方に傾斜して設けられている。また上片３ａ下面にはゴムパッキンなどの防水部材６が上片３ａ長手方向に沿って接着固定されている。このような長尺部材３は、天井パネル周縁部１ａ下面に垂下片２ｃを外側にし、長さ方向を周縁部１ａの端縁に沿わせた状態にして上片３ａを配置し、ゴムパッキンなどの防水部材５を介してビス孔３ｄにビス７を貫通螺着させることにより、天井パネル周縁部１ａに固着される。このときビス７の頭部はビス孔３ｄ内に収容され、ビス７の頭部下端が上片３ａの下面よりも上方位置に位置している。このとき凹溝４の開口部は内方に向いている。縦片３ｂは内外方向に適度なバネ性を有しており、天井パネル１を壁パネル２に上方より取り付ける際に、下片３ｃが壁パネル２の垂下片２ｃに押されて外方に広がるようにしている。
【００１５】
このような長尺部材３が四辺の周縁部１ａにそれぞれ固定された天井パネル１を壁パネル２上端部に取り付ける方法に関して次に説明する。
【００１６】
まず、天井パネル１に固定された長尺部材３を壁パネル２の水平片２ｂの上方位置に位置させた状態で、天井パネル１を降下させて壁パネル２上に天井パネル１を仮置きする。このとき長尺部材３の下片３ｃの先端が壁パネル２の垂下片２ｃの外面上部に接している。次に、施工者が天井パネル１下方から施工用開口を開蓋し、この施工用開口より天井裏に上半身を乗り出し、天井パネル１の周縁部１ａを下方に押圧作業することにより、壁パネル２の垂下片２ｃを天井パネル１の長尺部材３の凹溝４内に収容して係止される。このとき、長尺部材３の縦片３ｂは、下片３ｃ先端が壁パネル２の垂下片２ｃ外面上部に接した状態で外方に押し広げられ、下片３ｃが垂下片２ｃ外面上を下方へ移動し、ついには垂下片２ｃが天井パネル１の長尺部材３の凹溝４内に収容して係止される。垂下片２ｃは凹溝４の上下内壁、すなわち上片３ａ下面と下片３ｃ上面に挟持されて、天井パネル１が壁パネル２に対し、上下方向および内外方向に確実に位置決め固定される。
【００１７】
このようなユニットルームの天井パネル取付構造においては、天井パネル１を壁パネル２上端部に対し下方へ移動させることにより、壁パネル２の上端部に一体に設けた係止部を天井パネル周縁部１ａに設けた係止バネ部の凹溝４に係止させて壁パネル２上端部に天井パネル１を取り付けるようにしているので、壁パネル２にＨ型部材などの特殊な部材を設けることなく、取付施工性が向上している。また、天井パネル周縁部１ａと長尺部材３との隙間および長尺部材３と壁パネル２との隙間に設けたゴムパッキンなどの防水部材５，６により、ユニットルーム内の空間が水密に保たれ、防水性が向上している。また、天井パネル１の平坦部１ｃ下面が壁パネル２の水平片２ｂよりも下方に位置しているので、ユニットルーム内に居る人から長尺部材３の内側面などの接合部を見え難くし、ユニットルームの内観が向上している。
【００１８】
図３は、本発明の実施形態の同上と異なるユニットルームの天井パネル取付構造を示す要部の縦断面図である。また図４は、このユニットルームの天井パネル取付構造を示す要部の斜視図である。
【００１９】
図３及び図４に示すように、このユニットルームの天井パネル取付構造は、前述のものと概略同様な構成を有している。異なる点は、平坦部１ｃ側面に天井パネル１上下に貫通する通気孔１ｄを設けていることである。平坦部１ｃは、箱型容器状に形成されており、この側壁１ｂに適宜長さの横幅を有する横長の角孔が側壁１ｂ全周に沿って複数穿設されて通気孔１ｄとしている。また、天井パネル１の石膏ボード８上に空気を循環して乾燥させる乾燥機１０が設置されている。
【００２０】
このようなユニットルームの天井パネル取付構造では、乾燥機１０の噴出口（図示せず）から噴出された乾燥空気流が一方の通気孔１ｄを介してユニットルーム内に流入し、ユニットルーム内の湿潤空気流が他方の通気孔１ｄを介してユニットルーム外の天井パネル１上の空間に放出され、乾燥機１０の吸込口（図示せず）から吸入して循環される。したがって、この循環によりユニットルーム内の湿度は適度に調節でき、快適な居室空間を維持することができる。また通気孔１ｄが平坦部１ｃの側壁１ｂに設けてあるので、ユニットルーム内に居る人から通気孔１ｄを見え難くし、ユニットルームの内観が向上している。
【００２１】
図５は、本発明の実施形態の同上と異なるユニットルームの天井パネル取付構造を示す要部の縦断面図である。
【００２２】
図５に示すように、このこのユニットルームの天井パネル取付構造は、前述のものと概略同様な構成を有している。異なる点は、係止バネ部を有する長尺部材３の上片３ａを壁パネル２のパネル本体２ａ位置よりも内方に延設して延設片３ｅを設け、この延設片３ｅの先端側を折り曲げ可能な折曲片３ｇとして形成し、折曲片３ｇの先端部に係合部３ｈを設け、延設片３ｅの基部に延設片３ｅを天井パネル１にビス７止めするためのビス孔３ｄを設け、ビス孔３ｄの後部に折曲片３ｇを折り曲げて係合部３ｈが係合固定する係合止部３ｆを設けていることである。長尺部材３は、好適には樹脂材料の押し出し成形により製造し、延設片３ｅの基部先端と折曲片３ｇとの間にひんじ構造を容易に形成することができる。折曲片３ｇはこのひんじ３ｉにより下方折り曲げ回動自在に形成される。係合部３ｈは、折曲片３ｇの先端に折曲片３ｇ長手方向に沿って折り曲げ方向に突設した断面略三角形状に形成されている。一方係合止部３ｆは、この係合部３ｈの先端が接して係止する後面を有する断面略四角形状の突起が延設片３ｅ基部の長手方向に沿って設けて形成されている。
【００２３】
このようなユニットルームの天井パネル取付構造では、天井パネル周縁部１ａ下面に垂下片２ｃを外側にし、長さ方向を周縁部１ａの端縁に沿わせて状態に上片３ａ及び延設片３ｅを配置し、ゴムパッキンなどの防水部材５を介してビス孔３ｄにビス７を貫通させることにより、長尺部材３を天井パネル周縁部１ａ下面に固着する。このとき、折曲片３ｇは延設片３ｅ基部の先端にぶら下がった状態になっている。次に、折曲片３ｇを折り曲げ係合部３ｈの先端部を延設片３ｅ基部の係合止部３ｆの後面に引掛けることにより係止させる。このとき、折曲片３ｇはビス７の頭部に覆い被さり、ユニットルーム内にいる人からビス７の頭部を目隠ししているため、ユニットルームの内観が向上している。また、このビス７の頭部の目隠しのための化粧部材としての折曲片３ｇを長尺部材３に一体に形成しているため、特別に化粧部材を設けることなく部品数を削減でき、施工性が向上している。なお、この折曲片３ｇの係合部３ｈを延設片３ｅの基部の係合止部３ｆに固定する作業は天井パネル１を壁パネル２に取り付ける作業の前に行うとより施工性が向上したものとなる。
【図面の簡単な説明】
【００２４】
【図１】本発明の一実施形態のユニットルームの天井パネル取付構造を示す要部の縦断面図である。
【図２】同上のユニットルームの天井パネル取付構造の概略を示す斜視図である。
【図３】本発明の実施形態の同上と異なるユニットルームの天井パネル取付構造を示す要部の縦断面図である。
【図４】同上のユニットルームの天井パネル取付構造を示す要部の斜視図である。
【図５】本発明の実施形態の同上と異なるユニットルームの天井パネル取付構造を示す要部の縦断面図である。
【符号の説明】
【００２５】
１    天井パネル
１ａ    周縁部
１ｂ    側壁
１ｃ    平坦部
１ｄ    通気孔
２    壁パネル
２ａ    パネル本体
２ｂ    水平片
２ｃ    垂下片
２ｄ    三角形状部
３    長尺部材
３ａ    上片
３ｂ    縦片
３ｃ    下片
３ｄ    ビス孔
３ｅ    延設片
３ｆ    係合止部
３ｇ    折曲片
３ｈ    係合部
３ｉ    ひんじ
４    凹溝
５    防水部材
６    防水部材
７    ビス
８    石膏ボード
９    石膏ボード
１０    乾燥機
【図１】
2006152581.tif 000003
【図２】
2006152581.tif 000004
【図３】
2006152581.tif 000005
【図４】
2006152581.tif 000006
【図５】
2006152581.tif 000007